(57)【要約】【課題】リヤカバーを吊支する吊りロッドが、耕耘作業中の果樹園や砂糖黍畑等において、作物を引っ掛けることを防止するロータリ作業機におけるロータリカバ―の支持構造を提供することを課題としている。【解決手段】駆動力入力用のギヤケース４の左右に突出するフレーム６の端部にブラケット２２を取り付け、耕耘用のロータリ９の上方を覆うメインカバー１１とともにロータリ９を覆うロータリカバ―１１を構成して、ロータリ９の後方側を揺動自在に覆うリヤカバー１３との間に、リヤカバー１３を吊支する吊りロッド２３を、リヤカバー１３の揺動範囲内において圃場面に略平行に沿うように前後方向に延出させてスライド自在に設けた。【選択図】　　　　　図１
2004057038.tif 000002
【特許請求の範囲】
【請求項１】
駆動力入力用のギヤケース（４）の左右にフレーム（６）を突出させて機体フレーム（７）を構成し、耕耘用のロータリ（９）と、該ロータリ（９）を覆うロータリカバー（１０）とを備え、該ロータリカバ―（１０）が、機体フレーム（７）側に取り付けられてロータリ（９）の上方を覆うメインカバー（１１）と、該メインカバー（１１）の後方において上下回動自在に支持されてロータリ（９）の後方側を覆うリヤカバー（１３）とを備え、該リヤカバー（１３）が吊りロッド（２３）を介して機体フレーム（７）側に吊支されたロータリ作業機において、左右のフレーム（６）の端部にブラケット（２２）を取り付け、該ブラケット（２２）とリヤカバー（１３）側との間に吊りロッド（２３）をスライド自在に設け、該吊りロッド（２３）をリヤカバー（１３）の揺動範囲内において圃場面に略平行に沿うように前後方向に延出させて配置したロータリ作業機におけるロータリカバ―の支持構造。
【発明の詳細な説明】
【０００１】
【発明の属する技術分野】
この発明は、耕耘用のロータリ作業機におけるロータリカバ―の特にリヤカバーの支持構造に関する。
【０００２】
【従来の技術】
従来耕耘用のロータリ作業機として、駆動力入力用のギヤケースの左右にフレームを突出させて機体フレームを構成し、耕耘用のロータリを機体フレーム側に回転駆動自在に軸支し、該ロータリを覆うロータリカバーを、ロータリの上方を覆うメインカバーと、ロータリの後方側を覆うリヤカバーとから構成したものが知られている。
【０００３】
そして上記ロータリ作業機は、メインカバーを機体フレーム側に取り付け、リヤカバーをメインカバーの後端に上下回動自在に軸支するとともに、吊りロッドを介して機体フレーム側に吊支して回動範囲を規制し、リヤカバーの先端（後端）側を圃場面上に接地させ、ロータリによる耕耘土をリヤカバーによって均平することによって圃場の耕耘作業を行う構造となっている。
【０００４】
【発明が解決しようとする課題】
このときリヤカバーは、メインカバーの上面との間に吊りロッドが設けられ、メインカバーに吊支されている。これによりメインカバーはリヤカバーの荷重を受けるため、ロータリをカバーする以上の強度が必要となるという欠点があった。また吊りロッドが圃場面に対して起立する状態となり、且つ上端部（メインカバー側端部）が突出しているため、果樹園や砂糖黍畑等の長尺な作物の中で耕耘作業を行うと、吊りロッドの端部によって作物を引っ掛けることがある等の欠点もあった。
【０００５】
【課題を解決するための手段】
上記課題を解決するための本発明のロータリ作業機におけるロータリカバ―の支持構造は、駆動力入力用のギヤケース４の左右にフレーム６を突出させて機体フレーム７を構成し、耕耘用のロータリ９と、該ロータリ９を覆うロータリカバー１０とを備え、該ロータリカバ―１０が、機体フレーム７側に取り付けられてロータリ９の上方を覆うメインカバー１１と、該メインカバー１１の後方において上下回動自在に支持されてロータリ９の後方側を覆うリヤカバー１３とを備え、該リヤカバー１３が吊りロッド２３を介して機体フレーム７側に吊支されたロータリ作業機において、左右のフレーム６の端部にブラケット２２を取り付け、該ブラケット２２とリヤカバー１３側との間に吊りロッド２３をスライド自在に設け、該吊りロッド２３をリヤカバー１３の揺動範囲内において圃場面に略平行に沿うように前後方向に延出させて配置したことを特徴としている。
【０００６】
【発明の実施の形態】
図１，図２は本発明のロータリ作業機の側面概略図及び平面図である。該ロータリ作業機１は、トラクタ２に連結され、トラクタ２の走行に伴い圃場の耕耘作業を行う従来公知のものであり、トラクタ２側より入力軸３を介してＰＴＯ動力が入力されるギヤケース４からパイプフレーム６が左右に突設されて機体フレーム７を構成している。
【０００７】
このときギヤケース４の左右方向の略中央からは下方に向かって駆動力伝動ケース８が突設されており、該駆動力伝動ケース８の下端から左右に爪軸が突設され、該爪軸に耕耘爪が取り付けられてロータリ９が構成されている。すなわち本ロータリ作業機はセンタロータリタイプとなっており、ロータリ９の左右方向の略中央を駆動力伝動ケース８が支持し、駆動力伝動ケース８にロータリ９が略中央位置において回転駆動自在に取り付けられている。そしてギヤケース４に入力される駆動力が駆動力伝動ケース８を介して爪軸に入力され、ロータリ９が圃場の耕耘作業を行う構造となっている。
【０００８】
一方上記ロータリ９は、ロータリカバ―１０によって、上方側と側方側と後方側が覆われており、ロータリカバー１０を構成し、パイプフレーム６側に支持されたメインカバー１１によって上方側が、該メインカバー１１の左右両側に設けられてロータリカバー１０を構成するサイドカバー１２により側方上方側が、メインカバー１１の後端に上下回動自在に支持されてロータリカバー１０を構成するリヤカバー１３によって後方がそれぞれ覆われている。
【０００９】
このとき左右のパイプフレーム６の端部には、図３に示されるように板状の支持部材１４が固定されており、上記メインカバー１１は、該支持部材１４の下端部分にブラケット１６を介して上面が固定されて、機体フレーム７側に取り付けられている。なお上記支持部材１４の上端側には、作業機体に対して左右方向に横設されるツールバー１７を支持する支持杆１８が上下揺動自在に支持されている。
【００１０】
また支持部材１４の前端側には、トラクタ２側との連結のためのロアリンク１９を取り付けるロアピン２１が取り付けられており、以上に示される構造により支持部材１４は比較的大きな荷重や力を受ける必要があり、比較的板厚が厚く、高強度に構成されている。
【００１１】
一方上記支持部材１４の外側面にはブラケット２２が外側に突出するように設けられており、該ブラケット２２には、リヤカバー１３を吊支するための吊りロッド２３の前端が支軸２０を介して回動自在に軸支されている。またリヤカバー１３の上面には左右対向する１組のプレート２４ａ，２４ｂからなるリヤカバーブラケット２４が、上記ブラケット２２に対応して左右両側に設けられており、各リヤカバーブラケット２４に対応するブラケット２２の吊りロッド２３の後端が前後スライド自在に支持されている。
【００１２】
そして吊りロッド２３のリヤカバーブラケット２４側の端部には抜け止めのピン３０が取り付けられており、これによりリヤカバー１３が揺動範囲を規制されて機体フレーム７側に吊支される。そしてブラケット２２及びリヤカバーブラケット２４における吊りロッド２３の支持位置は、リヤカバー１３の揺動範囲内において吊りロッド２３が圃場面に略水平に沿うように設定されている。
【００１３】
なおリヤカバーブラケット２４は、図４に示されるように、リヤカバーブラケット２４に回転自在に軸支される回動軸２６に、吊りロッド２３をスライド自在に挿入することによって、吊りロッド２３を前後スライド自在に支持しており、このとき回動軸２６の回動によりリヤカバー１３の上下揺動を許容する。
【００１４】
また上記回動軸２６は、軸心方向に孔２６ａが穿設されており、該孔２６ａにロックピン２７がスライド自在に挿入された構造となっている。そして前記ロックピン２７の一端は回動軸２６の端面から突出しており、この突出端にはハンドル２８が回動自在に軸支されている。
【００１５】
このとき上記ハンドル２８は、回動軸２６の端面と当接する当接面を２つ備えているとともに、ロックピン２７との連結軸２９から両当接面２８ａ，２８ｂまでの距離が互いに異なるように設定されている。またロックピン２７の回動軸２６内の端部側と回動軸２６の内周面側との間にはロックピン２７に外嵌して圧縮スプリング３１が設けられており、ロックピン２７を吊りロッドの外周面に向かって付勢している。
【００１６】
そしてロックピン２７は、ハンドル２８の一方の当接面（フリー支持面）２８ａを回動軸２６の端面に当接させてハンドル２８を位置決めすることによって、スプリング３１の付勢力に抗して連結軸２９の位置が回動軸２６の端部から離反し、回動軸２６内の端部が吊りロッド２３に接触しないように位置決めされる。
【００１７】
またロックピン２７は、ハンドル２８の他方の当接面（ロック支持面）２８ｂを回動軸２６の端面に当接させてハンドル２８を位置決めすることによって、連結軸２９の位置が回動軸２６の端部に近づき、回動軸２６内の端部が吊りロッド２３の外周面に弾力的に当接するように位置決めされる。
【００１８】
このとき吊りロッド２３の外周面にはロックピン２７の挿入が可能なロック孔３２が穿設されており、ハンドル２８をロック支持面２８ｂが回動軸２６の端面に当接するロック支持姿勢Ａに位置決めした状態で、リヤカバー２３を上下揺動させ、ロックピン２７をロック孔３２に対向させると、スプリング３１によってロックピン２７がロック孔３２に自動的に挿入され、リヤカバー１３の位置が固定される。
【００１９】
なお上記リヤカバー１３の固定状態から、ハンドル２８をフリー支持面２８ａが回動軸２６の端面に当接するフリー支持姿勢Ｂに姿勢切換して位置決めすることによって、ロックピン２７は、ロック孔３２から脱抜され、吊りロッド２３に接触しない状態に位置決めされるため、吊りロッド２３は回動軸２６に対してスライドが自在となり、リヤカバー１３は上下回動自在となる。
【００２０】
リヤカバー１３は以上のように支持されており、これにより吊りロッド２３が従来のようにメインカバー１１の上面に支持されず、パイプフレーム６に設けられた比較的高強度の支持部材１４に安定して吊支され、メインカバー１１は、その強度をロータリ９を覆う機能に必要とする以上に高くする必要が無くなり、メインカバー１１の軽量化が図られ、且つコスト的にも有利となる。
【００２１】
またリヤカバー１３の揺動範囲内において、吊りロッド２３が圃場面に略平行に沿うように前後方向に延出し、圃場面に対して起立するような状態とならず、且つリヤカバー１３側の端部がスライドするため、果樹園や砂糖黍畑等の長尺な作物の中で耕耘作業を行う場合であっても、吊りロッド２３の端部等が上方に突出して作物を引っ掛ける等の不都合が防止され、上記果樹園や砂糖黍畑等における作業を容易に行うことができる。
【００２２】
【発明の効果】
以上のように構成される本発明の構造によると、吊りロッドがギヤケースから突出するフレームに支持され、リヤカバーがメインカバーに吊支されることが無いため、フレーム側の比較的高い強度によって、リヤカバーは安定して吊支され、さらにメインカバーの強度をロータリを覆う機能に必要とする以上に高くする必要が無く、メインカバーの軽量化を図ることができ、且つコスト的にも有利であるという利点がある。
【００２３】
また吊りロッドが圃場面に略沿うように前後方向に延出し、リヤカバーの揺動範囲内において、圃場面に対して起立するような状態とならないため、果樹園や砂糖黍畑等の長尺な作物の中で耕耘作業を行う場合であっても、吊りロッドの端部等が上方に突出して作物を引っ掛ける等の不都合が防止され、上記果樹園や砂糖黍畑等における作業を容易に行うことができるという効果もある。
【図面の簡単な説明】
【図１】ロータリ作業機の側面概略図である。
【図２】ロータリ作業機の平面図である。
【図３】メインカバーの取り付け状態を示すロータリ作業機の要部正面断面図である。
【図４】ブラケットによる吊りロッドの支持状態を示す断面図である。
【符号の説明】
４　　　ギヤケース
６　　　パイプフレーム（フレーム）
７　　　機体フレーム
９　　　ロータリ
１０　　ロータリカバー
１１　　メインカバー
１３　　リヤカバー
２２　　ブラケット
２３　　吊りロッド
【図１】
2004057038.tif 000003
【図２】
2004057038.tif 000004
【図３】
2004057038.tif 000005
【図４】
2004057038.tif 000006